(57)【要約】  【課題】  天吊及び床置・壁掛兼用型の空気調和機において，ドレンパンに溜まった水がこぼれるという不具合を防止しつつも，メンテナンス作業時の作業性の向上を図ること。  【解決手段】  空気調和機ＡＣの送風部１００と熱交換部２００とを仕切る中仕切部材３００を，背面側に取り付けられた所定長さの第１の中仕切部材３１０と，ドレンパン２２０の第２の露受皿２２２側底面と一体に形成された第２の中仕切部材３２０に分割する等，ドレンパンを分割することなく単独で取り外すことができるドレンパン引出機構を備える。【選択図】  図１
2005265332.tif 000002
【特許請求の範囲】
【請求項１】
吸入した空気の送風を行なう送風部と，前記送風部の排出口から排出された空気を冷却若しくは加熱する熱交換部と，前記送風部と前記熱交換部との間を仕切る中仕切部材とを備え，
前記熱交換部内には，傾斜して取り付けられた熱交換器と，前記熱交換器に結露した露を受けるドレンパンとが配置され，
前記ドレンパンは，空気調和機を天吊型として使用する際に前記熱交換器から流れ落ちる露を受ける第１の露受皿と，空気調和機を床置型若しくは壁掛型として使用する際に前記熱交換器から流れ落ちる露を受ける第２の露受皿と，前記第２の露受皿の側壁を形成する側壁とを備えて構成され，
空気調和機を床置型若しくは壁掛型として使用する際の前記熱交換器下端が，前記第１の露受皿，前記第２の露受皿及び前記側壁によって形成される凹部内に収容されてなる空気調和機において，
前記ドレンパンを前記熱交換器の取付軸線方向と略同一方向へ引き出し可能とするドレンパン引出機構を具備してなることを特徴とする空気調和機。
【請求項２】
前記ドレンパン引出機構が，前記中仕切部材を，
該空気調和機を天吊型として使用する際には該空気調和機の上側面となる面の内側に取り付けられ，前記ドレンパンを引き出す際に前記側壁が接触しない奥行長さに形成された第１の中仕切部材と，
前記ドレンパンの前記第２の露受皿側底面と一体に形成され前記ドレンパンの装着時には前記第１の中仕切部材と連接される第２の中仕切部材と，
に分割したことである請求項１に記載の空気調和機。
【請求項３】
前記ドレンパン引出機構が，
前記ドレンパンを引き出す際に前記側壁が前記中仕切部材と干渉しないよう，前記中仕切部材の該空気調和機を天吊型として使用する際には該空気調和機の下側面となる面側の端部が他端部に対し前記ドレンパンの前記引き出し方向に沿って傾斜してなる請求項１に記載の空気調和機。
【請求項４】
前記ドレンパン引出機構が，
前記ドレンパンを引き出す際に前記側壁が前記中仕切部材と干渉しないよう，前記中仕切部材の該空気調和機を天吊型として使用する際には該空気調和機の下側面となる面側の端部が他端部に対して揺動可能である請求項１に記載の空気調和機。
【請求項５】
前記側壁の前記排出口側の側面が，前記送風部から排出された空気を前記熱交換器へと向かわせるガイド部材を兼ねてなる請求項１ないし４のいずれかに記載の空気調和機。
【請求項６】
前記ドレンパンが発泡性樹脂部材からなる請求項１ないし５のいずれかに記載の空気調和機。
【発明の詳細な説明】
【技術分野】
【０００１】
本発明は，空気調和機に関し，特に，天吊及び床置・壁掛いずれの態様においても使用できる空気調和機に関する。
【背景技術】
【０００２】
従来より，天井に吊った状態，及び床に置いた状態若しくは壁に掛けた状態のいずれの場合であっても使用できる空気調和機がある。
このように天吊及び床置・壁掛いずれの態様においても使用できる空気調和機にあっては，冷房時，熱交換器に結露する露を，天吊で使用する場合及び床置若しくは壁掛で使用する場合のいずれの場合であっても受けることができるようドレンパンの形状が工夫されている。
このようなものとして，天吊での使用時に露を受ける受皿と，床置・壁掛での使用時に露を受ける受皿とを一体に形成し，前記ドレンパンを略Ｌ字状に構成する技術が知られている（例えば，特許文献１又は２参照）。また，前記のように略Ｌ字状に形成されたドレンパンに溜まった水を効率良く排水する工夫も知られている（例えば，特許文献３参照）。
図９は，従来の天吊及び床置・壁掛兼用型空気調和機１の概略構成を示す側断面図であって，（ａ）は天吊で，（ｂ）は床置若しくは壁掛で，それぞれ前記空気調和機１を使用している状態を示す。
空気調和機１には，送風機３から送られて来た空気を冷却若しくは加熱する熱交換器４が傾斜して配置されており，さらにこの熱交換器４に結露し流れ落ちる露を受けるドレンパン６が配置されている。前記ドレンパン６は，図９（ａ）に示される天吊使用時に前記露を受ける断面が略コ字状に形成された第１露受皿６ａ，図９（ｂ）に示される床置若しくは壁掛使用時に前記露を受ける断面が略コ字状に形成された第２露受皿６ｂとが一体に形成され，略Ｌ字状に構成されている。前記第２の露受皿６ｂは図９に示されるように熱交換器４の正面側から背面側にかけて設けれられている。従って，前記第１及び第２の露受皿６ａ及び６ｂで構成される凹部に，前記熱交換器４の送風機３側端部４ａが差し込まれた構造となっている。
また，従来の上記のような空気調和機では，機台全体が長矩形状となっているため，その強度を確保すべく図９（ｂ）に示すように機台の正面側カバー８ａから背面側カバー８ｂにわたる板金製の中仕切部材８ｃが設けられ，これが熱交換器４を設けた室１ａと送風機３を設けた室１ｂとの仕切りの役目を果たしている。
更に，従来の前記のようなドレンパン６は，低温のドレン水の影響を受けて機台が結露することを防ぐために断熱効果を合わせ持つ必要があり，発泡スチロール等の軟弱な材料で構成されているため，補強の意味から前記第２の露受皿６ｂの図９（ｂ）で示す下面を前記中仕切部材８ｃに密着させ，必要に応じて両者を図示しないねじ等により結合させることで一体化させてドレンパン６の強度を向上させている。
ところで，ドレンパン６は，熱交換器４の清掃，ドレンパン６の清掃，前記ドレンパン６に溜まった露（水）を排水する排水口７（７ｂ，７ｃ）の清掃，或いはドレンパン６の交換等の各種メンテナンスの為に，これを取り外す必要が生じる。このような場合に，図９に示した従来技術にあっては，前記のように中仕切部材８ｃが邪魔となってドレンパン６を図９（ｂ）に矢印Ｂで示す送風機３の方向へ引き出すことができない。また，ドレンパン６を空気調和機１の正面方向（矢印Ａで示す）に引き出そうとすれば，前記のように第１及び第２の露受皿６ａ及び６ｂによって構成されている凹部に熱交換器４の端部４ａが差し込まれているため，前記第２の露受皿６ｂと前記熱交換器４とが干渉し，取り外すことができない，或いは取り外せたとしても前記第２の露受皿６ｃが破損する等の問題点があった。
そこで，従来は前記ドレンパン６を前記熱交換器４と共に取り外すようにしている。しかしながら，熱交換器４を取り外すためには，前記熱交換器４内の冷媒をポンプにより回収した上で，配管・配線をすべて外すことが必要であり，さらにメンテナンス終了時には前記と逆の作業，つまり配管・配線を全て行なった上で配管内の真空引きを行い，冷媒を注入する作業を行なう必要があり，これらは極めて煩雑な作業である。また，前記熱交換器４は重量が大きいため，これを前記ドレンパン６と一緒に取り外す作業は，特に天吊で使用している場合，作業者の危険を伴う。
また，図９に示す特許文献３に記載の技術ではドレンパン６を分割しているが，このような構造では空気調和機を天吊状態で使用した場合，熱交換器４からのドレン水が露受皿６ａ，６ｂの隙間に侵入する可能性があり，ドレンパン６の水密性に欠陥を生じる可能性がある。
これらを踏まえ，天吊及び床置・壁掛兼用型空気調和機において，ドレンパンを分割することなく単独で取り外すことのできる技術が望まれていた。
【特許文献１】特開昭６２−３３２２６号公報
【特許文献２】特開平１−２１７１３８号公報
【特許文献３】特開平１０−１８５２３１号公報
【発明の開示】
【発明が解決しようとする課題】
【０００３】
本発明は，以上のような従来技術の問題点を解決することを課題とするものであり，具体的には，天吊及び床置・壁掛兼用型空気調和機において，ドレンパンに溜まった水がこぼれるという不具合を防止しつつも，ドレンパンを分割することなく単独で（熱交換器とは別に）取り外すことができるメンテナンス性の高い空気調和機を，なるべく簡単且つコストのかからない構成にて提供することを目的とする。
【課題を解決するための手段】
【０００４】
前記課題を解決するために，本発明は，吸入した空気の送風を行なう送風部と，前記送風部の排出口から排出された空気を冷却若しくは加熱する熱交換部と，前記送風部と前記熱交換部との間を仕切る中仕切部材とを備え，前記熱交換部内には，傾斜して取り付けられた熱交換器と，前記熱交換器に結露した露を受けるドレンパンとが配置され，前記ドレンパンは，空気調和機を天吊型として使用する際に前記熱交換器から流れ落ちる露を受ける第１の露受皿と，空気調和機を床置型若しくは壁掛型として使用する際に前記熱交換器から流れ落ちる露を受ける第２の露受皿と，前記第２の露受皿の側壁を形成する側壁とを備えて構成され，空気調和機を床置型若しくは壁掛型として使用する際の前記熱交換器下端が，前記第１の露受皿，前記第２の露受皿及び前記側壁によって形成される凹部内に収容されてなる空気調和機において，前記ドレンパンを前記熱交換器の取付軸線方向と略同一方向へ引き出し可能とするドレンパン引出機構を具備してなることを特徴とする空気調和機として構成されている。
このような構成によって，熱交換器を取り外すことなくドレンパンを単独で取り外すことが可能となり，メンテナンス性が向上する。
【０００５】
前記ドレンパン引出機構が，前記中仕切部材を，該空気調和機を天吊型として使用する際には該空気調和機の上側面となる面の内側に取り付けられ，前記ドレンパンを引き出す際に前記側壁が接触しない奥行長さに形成された第１の中仕切部材と，前記ドレンパンの前記第２の露受皿側底面と一体に形成され前記ドレンパンの装着時には前記第１の中仕切部材と連接される第２の中仕切部材と，に分割したことであれば好適である。
このような構成によりドレンパンを単独で引き出せることに加えて，中仕切部材の空気調和機筐体の強度を保つという目的も達成できる。
【０００６】
前記ドレンパン引出機構が，前記ドレンパンを引き出す際に前記側壁が前記中仕切部材と干渉しないよう，前記中仕切部材の該空気調和機を天吊型として使用する際には該空気調和機の下側面となる面側の端部が他端部に対し前記ドレンパンの前記引き出し方向に沿って傾斜してなれば，より簡易な構成であり，好適である。
【０００７】
前記ドレンパン引出機構が，前記ドレンパンを引き出す際に前記側壁が前記中仕切部材と干渉しないよう，前記中仕切部材の該空気調和機を天吊型として使用する際には該空気調和機の下側面となる面側の端部が他端部に対して揺動可能であれば，同じく簡易な構成にて前記目的を達成でき，望ましい。
【０００８】
また，前記側壁の前記排出口側の側面が，前記送風部から排出された空気を前記熱交換器へと向かわせるガイド部材を兼ねてなれば好適である。前記側壁の前記排出口側の側面がこのようなガイド部材を兼ねるような場合，即ち，前記第２の露受皿から大きく突出しているような場合であっても，本発明によってドレンパンを単独で取り外すことが可能となる。
【０００９】
前記ドレンパンが発泡性樹脂部材からなっていても良い。中仕切部材をなくす構成ではないため，発泡性樹脂部材のように強度のない部材をドレンパンに用いた場合であっても，十分な強度を確保することが可能である。
【発明の効果】
【００１０】
以上のように本発明によれば，ドレンパンを分割する必要がないので，その水密性を損なうことなく，更に熱交換器とは別にドレンパンを取り外すことができるため，熱交換器を取り外す際に必要となる，配管・配線の取り外し及び冷媒の回収という極めて煩雑な作業を省略することができる。また，ドレンパンを熱交換器と共に取り外すという危険な作業を行なう必要もなくなり，作業性・安全性共に向上させることが可能である。また，これに伴って，熱交換器の清掃，ドレンパンの清掃等のメンテナンス性も大幅に向上する。
この場合において，前記側壁によって前記第２の露受皿から水がこぼれることを防止する構成は維持されているため，信頼性が低下することもない。
さらに，本発明は，簡単且つコストのかからない構成にて実施可能である。
【発明を実施するための最良の形態】
【００１１】
以下添付図面を参照して，本発明の実施の形態及び実施例につき説明し，本発明の理解に供する。尚，以下の実施の形態及び実施例は本発明を具体化した一例であって，本発明の技術的範囲を限定する性格のものではない。
ここに，図１は，本発明の実施の形態に係る空気調和機の側断面図，図２は，本発明の実施の形態に係る空気調和機の外観図，図３は，本発明の実施の形態に係る空気調和機の側断面図であり，中仕切部材の分割位置近傍を拡大した図，図４は，本発明の実施の形態に係る空気調和機において使用されるドレンパンの一例を示す五面図，図５は，本発明の実施の形態に係る空気調和機において使用されるドレンパンと一体に形成される第２の中仕切部材の詳細を示す図，図６は，本発明の実施の形態に係る空気調和機からドレンパンを引き出して取り外す作業を示す概念図である。
【００１２】
まず，図１の側断面図及び図２の外観図を用いて，本発明の実施の形態に係る空気調和機ＡＣの概略構成について説明する。
尚，説明の混同を避けるため，本明細書全文を通じて，天吊で使用する場合，床置若しくは壁掛で使用する場合を問わず，図２（ａ）の外観斜視図に示すＢ面（即ち，図２（ｂ）に示される面）を空気調和機ＡＣの背面，Ｃ面（即ち，図２（ｃ）に示される面）を空気調和機ＡＣの上面，Ｄ面（即ち，図２（ｄ）に示される面）を空気調和機ＡＣの正面，Ｅ面（即ち，図２（ｅ）に示される面）を空気調和機ＡＣの側面と称する
図１及び図２に示されるように，天吊及び床置・壁掛兼用型空気調和機ＡＣは，グリル１０１とフィルタ１０２とによってなる吸入口１１０から吸入した空気を排出口１２０から排出する送風機１３０を備える送風部１００と，前記排出口１２０から排出された空気を冷却若しくは加熱する熱交換器２１０，冷房時に前記熱交換器２１０に結露する露を受けるドレンパン２２０，及び前記熱交換器２１０によって冷却若しくは加熱された空気を外部に吹き出す吹出口２３０を備える熱交換部２００とによって構成されている。この熱交換部２００の正面側は，正面カバー２０１によって覆われている。
また，この送風部１００と熱交換部２００との間は中仕切部材３００によって仕切られている。この中仕切部材３００は，上述のように送風部１００と熱交換部２００とを仕切るだけでなく，空気調和機ＡＣ筐体の強度を保ち，或いは前記送風機１３０等の各種装置・部品が固定されるため，金属部材等強度の高い部材により構成されている。
前記熱交換器２１０は，熱交換部２００内におけるスペース有効利用及び結露した露を前記ドレンパン２２０方向へ流れ落ちさせる等の目的のため，図１に示されるように，前記中仕切部材３００の空気調和機ＡＣ正面側端部から前記熱交換部２００背面の吹出口２３０側端部にかけて傾斜して取り付けられている。また，前記ドレンパン２２０は，図１（ａ）に示されるように，前記空気調和機ＡＣをその正面が下を向く状態（天吊）で使用する際に前記熱交換器２１０から流れ落ちる露を受ける第１の露受皿２２１と，図１（ｂ）に示されるように，前記空気調和機ＡＣをその正面が水平方向を向く状態（床置若しくは壁掛）で使用する際に前記熱交換器２１０から流れ落ちる露を受ける第２の露受皿２２２と，同様に空気調和機ＡＣをその正面が水平方向を向く状態で使用する際に前記熱交換器２１０から流れ落ちる露が前記第２の露受皿２２２から流れ落ちないようにするとともに前記第２の露受皿２２２の側壁を形成する側壁２２３とが，略Ｌ字状に一体に形成されている。さらに，このドレンパン２２０に溜まった露（水）を排出するための図示しない排水管を接続するべく排水口２２４が設けられている。
この側壁２２３が大きければ大きいほど，前記排水口２２４から排出し切れない水を多く溜めておくことができるため，前記第２の露受皿２２２に溜まった水が背面側にこぼれ落ちるという不具合を防ぐことができ，空気調和機ＡＣの信頼性が向上する。
また，図１（ｂ）に示されるように，空気調和機ＡＣをその正面が水平方向を向く状態（床置若しくは壁掛）で使用する際の前記熱交換器２１０の下端は，前記露がドレンパン２２０以外の方向へ流れ落ちることを防ぐために，前記第１及び第２の露受皿によって形成される凹部内に収容される。
【００１３】
ここまでに説明した構成は，従来技術に係る空気調和機の構成と略同一であるが，この実施形態に係る空気調和機ＡＣにおいては，前記中仕切部材３００が第１の中仕切部材３１０と第２の中仕切部材３２０に分割されている（ドレンパン引出機構の一例）点に特徴を有する。
以下，図１及び図３ないし図５を用いて，ドレンパン引出機構の一例である前記中仕切部材３００を分割した構成の詳細について説明する。
図１に示されるよう，前記第１の中仕切部材３１０は，空気調和機ＡＣの背面内側に取り付けられる。この第１の中仕切部材３１０の奥行長さは，前記ドレンパン２２０を図３の矢印Ｘで示す方向に引き出す際に，前記側壁２２３が接触しないように，中仕切部材３００の略中央部までの長さに構成されるが，具体的には，前記第１の中仕切部材３１０の背面内側取付部から，図３に示されるＰ点までの長さである。
前記Ｐ点は，これと前記側壁２２３の背面側へ最も突出した点であるＱ点とを結んだ直線Ｌ１と，前記第１の中仕切部材３１０と同軸の直線Ｌ２とがなす角をθ１とした場合に，前記側壁２２３の上面側へ最も突出した点であるＳ点と，空気調和機ＡＣをその正面が水平方向を向く状態（床置若しくは壁掛）で使用する際の前記熱交換器２１０の下端点であるＴ点とを結んだ直線Ｌ３と前記直線Ｌ２に平行な直線Ｌ２´とがなす角をθ２とすると，
θ１≧θ２  ・・・（１）
の関係が成り立つような点として，前記点Ｑを基準として定められる。これは，前記側壁２２３の前記Ｓ点が前記熱交換器２１０の前記Ｔ点に干渉しないように前記ドレンパン２２０を引き出すための引出角θが，
θ≧θ２  ・・・（２）
であり，この引出角θにて，前記ドレンパン２２０を引き出した際に，前記側壁２２３の前記Ｑ点が前記第１の中仕切部材３１０の前記Ｐ点と接触しないための条件が，
θ≦θ１  ・・・（３）
であることから導かれるものである。
【００１４】
一方，前記第２の中仕切部材３２０は，図示せぬねじ等によって前記ドレンパン２２０の前記第２の露受皿２２２の図３に示す下面に密着して結合される。
図４は，ドレンパン２２０の構成を示す五面図であって，（ａ）は，空気調和機ＡＣに装着した場合に上面から見た図，（ｂ）（ｄ）は側面から見た図，（ｅ）は第２の露受皿２２２側の底面から見た図である。
ドレンパン２２０は，前記したように，発泡スチロールを一例とする発泡性樹脂部材からなる。これは，断熱性が高く，低コストに作成できる，ドレンパン２２０が軽量になる等の特質によるものである。したがって，前記第１の中仕切部材３１０が空気調和機ＡＣの背面内側から前記点Ｐまでの奥行長さに定められた場合，そのままでは，空気調和機ＡＣ筐体の強度が落ちる。そこで，金属等の強度を有する部材からなる前記第２の中仕切部材３２０を前記ドレンパン２２０の前記第２の露受皿２２２側底面と一体的に結合することで，強度の低下を防ぐことができる。
図４（ｅ）に示されるドレンパン２２０の第２の露受皿２２２側底面には，金具Ｍが複数箇所（この例ではＭ１，Ｍ２，Ｍ３の３箇所）インサートされる。金具Ｍの中心には，タッピングねじ等で締付けられるようメネジ形成用の下孔が設けてあるが，予めメネジが形成されていても良い。この金具Ｍ１，Ｍ２，Ｍ３はそれぞれ図５に示す第２の中仕切部材３２０に形成された孔Ｈ１，Ｈ２，Ｈ３に位置合わせされてねじ止めされることにより，前記第２の中仕切部材３２０は前記ドレンパン２２０の前記第２の露受皿２２２側底面と一体的に結合される。
この第２の中仕切部材３２０は，前記ドレンパン２２０を空気調和機ＡＣに装着している際には，前記第１の中仕切部材３１０と，ねじ止め等によって連接される。
【００１５】
続いて，前記ドレンパン２２０の取り外し作業について，図２を参照しつつ，図６を用いて説明する。
はじめに，空気調和機ＡＣのグリル１０１を開き，正面カバー２０１を取り外す。次に前記第２の中仕切部材３２０と前記第１の中仕切部材３１０とを連接するねじが外される。
最後にドレンパン２２０を図６に矢印Ｙで示す方向に引き出せば，すなわち熱交換器２１０の取付軸線（矢印Ｃで示す方向）と略同一方向に引き出すことでドレンパン２２０の前記点Ｑあるいは点Ｓが前記熱交換器２１０の点Ｔあるいは前記第１の中仕切部材３１０の点Ｐと干渉することなく，ドレンパン２２０の取り外しが完了する。
【００１６】
以上が，本発明の一実施形態に係る空気調和機のドレンパン引出機構の一例である中仕切部材を二分割した場合についての説明である。このような構成にすれば，熱交換器２１０を取り外すことなく，ドレンパン２２０だけを引き出して取り外すことができるため，熱交換器２１０の取り外しに伴う煩雑な作業，及び熱交換器２１０をドレンパン２２０と共に取り外すための危険な作業を伴うことなくメンテナンスができ，メンテナンス性が向上する。また，前記第２の中仕切部材３２０とドレンパン２２０の底面とが一体に形成されており，空気調和機ＡＣ筐体の強度が低下することもない。
【００１７】
また，図１に示されるように前記側壁２２３は前記のように第２の露受皿２２２に溜まった露の流下を防止するためだけでなく，前記排出口１２０側の側面であるＧ面が前記送風部１００から排出された空気を前記熱交換器２１０へと向かわせるガイド部材を兼ねる構成となっている点も，本実施形態の特徴である。
前記Ｇ面がガイド部材を兼ねるためには，一般に，前記側壁２２３が前記熱交換器２１０の背面側へ大きく突出している必要があるが，本発明の構成によれば，前記Ｇ面がガイド部材を兼ねる場合であっても，前記ドレンパン２２０を前記熱交換器２１０の取付軸方向と略同一方向へ引き出すことによって，これを分割することなく単独で取り外すことができる。
尚，前記側壁２２３とは別に，前記送風部１００から排出された空気を前記熱交換器２１０へと向かわせるガイド部材を設けても良く，このような場合であっても本発明の範囲内である。
【実施例】
【００１８】
ドレンパン引出機構の他の一例として，図７に示されるように，前記中仕切部材３００を，その正面側端部が他端部（背面側端部）に対し前記ドレンパン２２０の引き出し方向に沿って傾斜させる構成が挙げられる。
ここで，前記中仕切部材３００の傾斜開始点（折り曲げる点）Ｐは，前記ドレンパン２２０を引き出す際に前記側壁２２３がこの中仕切部材３００と干渉しないよう定められるため，前記同様に，（１）式によって定められる点で良い。また，この場合の傾斜角θ３は，前記引出角θ以上の角度にすれば良い。ただし，傾斜角θ３を大きくし過ぎると吸入口１１０の表面積が小さくなる，空気調和機ＡＣ筐体の強度が低下する等，好ましくない場合もあるので，前記引出角θと略同一角度に設計することが望ましい。
【００１９】
ドレンパン引出機構の更に別の一例として，図８に示されるように，分割された正面側の中仕切部材３２０を，他の中仕切部材３１０に対して揺動可能とする構成が挙げられる。
ここで，前記正面側の中仕切部材３２０を揺動させる動作中心点Ｐは，前記ドレンパン２２０を引き出す際に前記側壁２２３がこの中仕切部材３００と干渉しないように定められるため，前記同様に，（１）式によって定められる点で良い。
【図面の簡単な説明】
【００２０】
【図１】本発明の実施の形態に係る空気調和機の側断面図であり，（ａ）は該空気調和機を天吊で使用する場合を，（ｂ）は該空気調和機を床置若しくは壁掛で使用する場合を，それぞれ示す。
【図２】本発明の実施の形態に係る空気調和機の外観図であり，（ａ）は斜視図，（ｂ）は背面図，（ｃ）は上面図，（ｄ）は正面図，（ｅ）は側面図である。
【図３】本発明の実施の形態に係る空気調和機の側断面図であり，中仕切板の分割位置近傍を拡大した図である。
【図４】本発明の実施の形態に係る空気調和機において使用されるドレンパンの一例を示す五面図である。
【図５】本発明の実施の形態に係る空気調和機において使用されるドレンパンと一体に形成される第２の中仕切部材の詳細を示す図である。
【図６】本発明の実施の形態に係る空気調和機からドレンパンを引き出して取り外す作業の概念を示す概念図である。
【図７】本発明の第１の実施例に係る空気調和機の概略構成を示す側断面図である。
【図８】本発明の第２の実施例に係る空気調和機の概略構成を示す側断面図である。
【図９】従来の天吊及び床置・壁掛兼用型空気調和機１の概略構成を示す側断面図であり，（ａ）は該空気調和機１を天吊で使用する場合を，（ｂ）は該空気調和機１を床置若しくは壁掛で使用する場合を，それぞれ示す。
【符号の説明】
【００２１】
１００  ・・・送風部
１０１  ・・・グリル
１０２  ・・・フィルタ
１１０  ・・・吸入口
１２０  ・・・排出口
１３０  ・・・送風機
２００  ・・・熱交換部
２０１  ・・・正面カバー
２１０  ・・・熱交換器
２２０  ・・・ドレンパン
２２１  ・・・第１の露受皿
２２２  ・・・第２の露受皿
２２３  ・・・第２の露受皿の側壁
２２４  ・・・排水口
２３０  ・・・吹出口
３００  ・・・中仕切部材
【図１】
2005265332.tif 000003
【図２】
2005265332.tif 000004
【図３】
2005265332.tif 000005
【図４】
2005265332.tif 000006
【図５】
2005265332.tif 000007
【図６】
2005265332.tif 000008
【図７】
2005265332.tif 000009
【図８】
2005265332.tif 000010
【図９】
2005265332.tif 000011